(57)【要約】【課題】ユーザの使用を妨げることなく、ユーザが主電源をオフする操作を忘れた場合に、録画予約データに基づく録画が実行されない事態が生じるのを抑えることができる光ディスク装置を提供する。【解決手段】光ディスク装置１は、本体に記憶している録画予約データに含まれている録画開始時刻の一定時間前にトレイ１７がオープン状態であれば、トレイ１７をクローズ状態に移動する。その後、クローズ状態に移動されたトレイ１７にＤＶＤ２０が載置されており、且つ載置されているＤＶＤ２０に上記録画予約データに基づく番組の録画が可能であれば、録画予約データに基づく録画を実行する。【選択図】図１
2004320323.tif 000002
【特許請求の範囲】
【請求項１】
光ディスクを載置するトレイを、本体に収納したクローズ状態と、本体から突出させたオープン状態との間で移動させるトレイ駆動手段と、
上記トレイがオープン状態であるか、クローズ状態であるかを検出するトレイ状態検出手段と、
放送されている番組を受信する受信手段と、
録画予約データの入力を受け付ける録画予約データ受付手段と、
上記録画予約データ受付手段が受け付けた録画予約データを記憶する録画予約データ記憶手段と、
上記録画予約データ記憶手段に記憶している録画予約データに基づいて、上記受信手段が受信している番組を、上記クローズ状態である上記トレイに載置されている光ディスクに録画する録画手段と、を備え、
本体の主電源をオフするときに、トレイの状態がオープン状態であれば、上記トレイ駆動手段がトレイをクローズ状態にする光ディスク装置において、
上記トレイ駆動手段は、上記録画予約データ記憶手段に記憶している録画予約データに含まれている録画開始時刻の一定時間前に、上記トレイ状態検出手段において上記トレイの状態がオープン状態であることが検出されていれば、トレイをクローズ状態に移動し、
上記トレイ駆動手段が上記録画予約データ記憶手段に記憶している録画予約データに含まれている録画開始時刻の一定時間前に、オープン状態であったトレイをクローズ状態に移動したとき、トレイに光ディスクが載置されているかどうか、および光ディスクが載置されている場合に該光ディスクに上記録画予約データに基づく番組の録画が可能であるかどうかを判定し、ここで番組の録画が可能であると判定した場合に、上記録画手段に録画予約データに基づく番組の録画を実行させる制御手段を備え、
上記制御手段は、トレイに載置されている光ディスクが書込可能な光ディスクで、且つ空き領域の大きさが録画予約データに基づく番組の録画が行える大きさであれば、上記録画予約データに基づく番組の録画が可能であると判定する光ディスク装置。
【請求項２】
光ディスクを載置するトレイを、本体に収納したクローズ状態と、本体から突出させたオープン状態との間で移動させるトレイ駆動手段と、
上記トレイがオープン状態であるか、クローズ状態であるかを検出するトレイ状態検出手段と、
放送されている番組を受信する受信手段と、
録画予約データの入力を受け付ける録画予約データ受付手段と、
上記録画予約データ受付手段が受け付けた録画予約データを記憶する録画予約データ記憶手段と、
上記録画予約データ記憶手段に記憶している録画予約データに基づいて、上記受信手段が受信している番組を、上記クローズ状態である上記トレイに載置されている光ディスクに録画する録画手段と、を備え、
本体の主電源をオフするときに、トレイの状態がオープン状態であれば、上記トレイ駆動手段がトレイをクローズ状態にする光ディスク装置において、
上記トレイ駆動手段は、上記録画予約データ記憶手段に記憶している録画予約データに含まれている録画開始時刻の一定時間前に、上記トレイ状態検出手段において上記トレイの状態がオープン状態であることが検出されていれば、トレイをクローズ状態に移動し、
上記トレイ駆動手段が上記録画予約データ記憶手段に記憶している録画予約データに含まれている録画開始時刻の一定時間前に、オープン状態であったトレイをクローズ状態に移動したとき、トレイに光ディスクが載置されているかどうか、および光ディスクが載置されている場合に該光ディスクに上記録画予約データに基づく番組の録画が可能であるかどうかを判定し、ここで番組の録画が可能であると判定した場合に、上記録画手段に録画予約データに基づく番組の録画を実行させる制御手段を備えた光ディスク。
【請求項３】
上記制御手段は、トレイに載置されている光ディスクが書込可能な光ディスクであれば、上記録画予約データに基づく番組の録画が可能であると判定する請求項２に記載の光ディスク装置。
【請求項４】
上記制御手段は、トレイに載置されている光ディスクが書込可能な光ディスクで、且つ空き領域の大きさが録画予約データに基づく番組の録画が行える大きさであれば、上記録画予約データに基づく番組の録画が可能であると判定する請求項２に記載の光ディスク装置。
【発明の詳細な説明】
【０００１】
【発明の属する技術分野】
この発明は、本体に記憶している録画予約データに基づいて番組を録画する光ディスク装置に関する。
【０００２】
【従来の技術】
従来、一般的な光ディスク装置には、光ディスクを載置するトレイを、オープン状態と、クローズ状態との間で移動させるトレイ駆動部が設けられている。上記オープン状態とは、トレイが本体から突出している状態であり、この状態でトレイに載置されている光ディスクの取り出しや、本体にセットする光ディスクをトレイに載置する。また、上記クローズ状態とは、トレイが本体に収納された状態であり、この状態でトレイに載置されている光ディスクに対するデータの記録や、データの読み取りが行われる。
【０００３】
ところで、オープン状態であるトレイは、上記のように本体から突出しているので、この状態を保持しつづけると、ユーザがぶつかったり、物があたって、破損する可能性が高い。そこで、一般的な光ディスク装置は、本体の主電源をオフするときに、トレイがオープン状態であれば、クローズ状態にして、主電源をオフするように構成している。
【０００４】
主電源がオフされている状態とは、所謂待機モードであり、本体の動作を制御する制御部や、リモコンから送信されてくるコード、例えば主電源のオンを要求するコード、を受信する受信部等、本体の一部に動作電源を供給している状態である。
【０００５】
また、主電源がオンしている状態であっても、トレイのオープン状態が一定時間継続すると、トレイをクローズ状態にする光ディスク装置が特許文献１、２で提案されている。この光ディスク装置は、ユーザが主電源をオフする操作を忘れたときに、トレイがオープン状態であっても、トレイのオープン状態がいつまでも保持しつづけられることがなく、ユーザがぶつかったり、物があたって、トレイが破損するのを一層確実に防止できる。
【０００６】
また、テレビ放送の番組を本体にセットされているＤＶＤやＶＣＤ等の光ディスクに録画する録画機能を有する光ディスク装置がある。録画機能を有する光ディスク装置には、録画予約機能が設けられている。録画予約機能は、周知のように、予め本体に入力されている、録画開始時刻、録画終了時刻、録画する番組が放送されるチャンネル等、を含む録画予約データに基づいて、番組を録画する機能である。この光ディスク装置には、本体に入力された録画予約データを記憶する記憶部（メモリ）が設けられている。
【０００７】
【特許文献１】
特開２０００−３３９８３２号公報
【特許文献２】
特開２００２−１５５０２号公報
【０００８】
【発明が解決しようとする課題】
しかしながら、録画予約機能を有する光ディスク装置は、主電源がオンしているとき、本体に記憶している録画予約データに基づく録画を実行しないように構成されている。このように構成している理由は、ユーザが何らかの理由で録画予約していた番組の録画を中止し、別の光ディスクに記録されている番組を視聴する等、他の目的で本体を使用することがあり、この場合に録画予約を優先すると、ユーザの使用を妨げることになるからである。
【０００９】
したがって、ユーザが録画予約データの入力を行った後に、主電源をオフする操作を忘れると、録画予約データに基づく録画が実行されないという問題があった。
【００１０】
この発明の目的は、ユーザの使用を妨げることなく、ユーザが主電源をオフする操作を忘れた場合に、録画予約データに基づく録画が実行されない事態が生じるのを抑えることができる光ディスク装置を提供することにある。
【００１１】
【課題を解決するための手段】
この発明の光ディスク装置は、上記課題を解決するために以下の構成を備えている。
【００１２】
光ディスクを載置するトレイを、本体に収納したクローズ状態と、本体から突出させたオープン状態との間で移動させるトレイ駆動手段と、
上記トレイがオープン状態であるか、クローズ状態であるかを検出するトレイ状態検出手段と、
放送されている番組を受信する受信手段と、
録画予約データの入力を受け付ける録画予約データ受付手段と、
上記録画予約データ受付手段が受け付けた録画予約データを記憶する録画予約データ記憶手段と、
上記録画予約データ記憶手段に記憶している録画予約データに基づいて、上記受信手段が受信している番組を、上記クローズ状態である上記トレイに載置されている光ディスクに録画する録画手段と、を備え、
本体の主電源をオフするときに、トレイの状態がオープン状態であれば、上記トレイ駆動手段がトレイをクローズ状態にする光ディスク装置において、
上記トレイ駆動手段は、上記録画予約データ記憶手段に記憶されている録画予約データに含まれている録画開始時刻の一定時間前に、上記トレイ状態検出手段において上記トレイの状態がオープン状態であることが検出されていれば、トレイをクローズ状態に移動し、
上記トレイ駆動手段が上記録画予約データ記憶手段に記憶している録画予約データに含まれている録画開始時刻の一定時間前に、オープン状態であったトレイをクローズ状態に移動したとき、トレイに光ディスクが載置されているかどうか、および光ディスクが載置されている場合に該光ディスクに上記録画予約データに基づく番組の録画が可能であるかどうかを判定し、ここで番組の録画が可能であると判定した場合に、上記録画手段に録画予約データに基づく番組の録画を実行させる制御手段を備えている。
【００１３】
この構成では、トレイ駆動手段が主電源をオフするときに、トレイをクローズ状態にするので、トレイがオープン状態であるとき、本体の主電源はオンしている。録画予約データ記憶手段に記憶している録画予約データに含まれている録画開始時刻の一定時間前にトレイがオープン状態であれば、トレイ駆動手段がトレイをクローズ状態に移動する。その後、制御手段がクローズ状態に移動されたトレイに光ディスクが載置されているかどうか、および載置されている光ディスクに上記録画予約データに基づく番組の録画が可能であるかどうかを判定し、録画可能であれば録画手段に録画予約データに基づく録画を実行させる。
【００１４】
したがって、ユーザが入力した録画予約データに基づく番組を録画する光ディスクをトレイに載置した後、本体の主電源をオフする操作、およびトレイをクローズ状態にする操作を忘れた場合であっても、ユーザが入力した録画予約データに基づく番組の録画が行われる。
【００１５】
なお、ユーザは、録画予約データに基づく番組を録画する光ディスクをトレイに載置した後、本体の主電源をオフする操作を行えば、特にトレイをクローズ状態にする操作を行わなくても、トレイ駆動手段によりトレイがクローズ状態に移動され、本体の主電源がオフされる。
【００１６】
また、録画予約データ記憶手段に記憶している録画予約データに含まれている録画開始時刻の一定時間前にトレイがクローズ状態であり、且つ主電源がオンされているときには、録画予約データに基づく録画を実行しない。したがって、ユーザが何らかの理由で録画予約していた番組の録画を中止し、別の光ディスクに記録されている番組を視聴する等、他の目的で本体を使用している場合において、ユーザの使用を妨げることがない。
【００１７】
これにより、ユーザの使用を妨げることなく、ユーザが主電源をオフする操作を忘れた場合に、録画予約データに基づく録画が実行されない事態が生じるのを抑えることができる。
【００１８】
また、トレイに載置されている光ディスクに上記録画予約データに基づく番組の録画が可能であるかどうかの判定は、この光ディスクが書込可能な光ディスク、例えばＤＶＤ−Ｒ、ＤＶＤ−ＲＷ、であれば録画可能であると判定する。言い換えれば、書込可能でない光ディスク、例えばＤＶＤ−ＲＯＭ、であれば録画可能でないと判定する。
【００１９】
さらに、上記録画予約データに基づく番組の録画が可能であるかどうかの判定に、光ディスクの空き領域の大きさが録画予約データに基づく番組の録画が行える大きさであるかどうかを加えて判定してもよい。このようにすれば、録画予約データに基づく番組の録画が空き領域の不足により途中で終了する、無駄な録画が実行されるのを防止できる。
【００２０】
【発明の実施の形態】
以下、この発明の実施形態である光ディスク装置について説明する。
【００２１】
図１は、この発明の実施形態である光ディスク装置の主要部の構成を示すブロック図である。この実施形態の光ディスク装置１は、本体にセットされているＤＶＤ２０に記録されている映像データ、および音声データ（以下、これらを総称してＡＶデータと言う。）の再生、および外部から入力されたＡＶデータの記録が行える。光ディスク装置１は、アンテナ２１で受信しているテレビ放送信号から選択されているチャンネルの放送信号を抽出する受信部３と、受信部３で抽出した放送信号に基づくＡＶデータを生成するＡＶデータ生成部４と、ＡＶデータ生成部４が生成したＡＶデータを本体にセットされているＤＶＤ２０に記録する記録部５と、本体にセットされているＤＶＤ２０に記録されているＡＶデータを読み取る読取部６と、読取部６がＤＶＤ２０から読み取ったＡＶデータを処理するＡＶデータ処理部７と、受信部３で抽出された放送信号や、ＡＶデータ処理部７で処理されたＡＶデータに基づく映像信号、および音声信号を出力する出力部８と、本体に対する入力を受け付ける入力部９と、を備えている。
【００２２】
また、図１において、１５は本体にセットするＤＶＤ２０を載置するトレイ１７を本体から突出させたオープン状態と、本体に収納されたクローズ状態との間で移動するトレイ駆動部であり、１６はトレイ１７がオープン状態であるときにオン（またはオフ）し、クローズ状態であるときにオフ（またはオン）するセンサである。このセンサ１６が、この発明で言うトレイ状態検出手段に相当する。センサ１６は、例えばフォトセンサであり、トレイ１７がクローズ状態であるときに該トレイ１７の一部が発光素子と受光素子との間に位置し、トレイ１７がオープン状態であるときに該トレイ１７の一部が発光素子と受光素子との間に位置しない場所に取り付けられている。図２（Ａ）はトレイ１７を本体に収納しているクローズ状態を示す図であり、図２（Ｂ）はトレイ１７を本体から突出させているオープン状態を示す図である。トレイ駆動部１５は、トレイ１７を図２（Ａ）、（Ｂ）に示す間で移動する。
【００２３】
また、センサ１６は、トレイ１７に押圧されたときにオンし、トレイ１７に押圧されていないときにオフするマイクロスイッチ等であってもよい。この場合、センサ１６は、トレイ１７がオープン状態であるときに該トレイ１７に押圧されない位置で、且つトレイ１７がクローズ状態であるときに該トレイ１７に押圧される位置に取り付ければよい。
【００２４】
なお、ここでは、本体にセットされたＤＶＤ２０を保持して回転する構成や、ピックアップヘッド１０をＤＶＤ２０の半径方向に移動する構成については図示を省略している。
【００２５】
制御部２には、本体に入力された録画予約データを記憶するメモリが設けられている。図３は、上記メモリの録画予約データ記憶領域の構成を示す図である。録画予約データを構成する情報には、録画開始時刻、録画終了時刻、録画するチャンネル等が含まれている。また、このメモリは、動作時に発生したデータを一時的に記憶するワーキングエリアとしても使用される。また、制御部２は、現在時刻を計時するタイマを有している。
【００２６】
受信部３は、アンテナ２１で受信しているテレビ放送信号から選択されているチャンネルのテレビ放送信号を抽出する、周知のチューナである。ＡＶデータ生成部４は、受信部３で抽出されたテレビ放送信号に基づいて、ＤＶＤ２０に記録するＡＶデータ、例えばＭＰＥＧ２形式で圧縮したＡＶデータ、を生成する。記録部５は、ＡＶデータ生成部４が生成したＡＶデータをＤＶＤ２０に記録する。具体的には、ＡＶデータ生成部４が生成したＡＶデータに基づいて、ピックアップヘッド１０から出力するレーザ光のパワーを制御することにより、ＤＶＤ２０にこのＡＶデータを記録する。
【００２７】
読取部６は、本体にセットされているＤＶＤ２０に記録されているＡＶデータ、例えばＭＰＥＧ２形式で圧縮されたＡＶデータ、を読み取る。具体的には、ピックアップヘッド１０が、本体にセットされているＤＶＤ２０にレーザ光を照射し、その反射光を検出する。読取部６は、ピックアップヘッド１０が検出した反射光のレベルの変化から、ＤＶＤ２０に記録されているＡＶデータを読み取る。ＡＶデータ処理部７は、読取部６が読み取ったＡＶデータを処理する。例えば、ＤＶＤ２０から読み取ったＡＶデータがＭＰＥＧ２形式のＡＶデータであれば、このＡＶデータを伸長する。出力部８はアナログの映像信号、および音声信号を出力する。入力部９は、本体に対する入力操作を行う複数の入力キー、および図示していないリモコンから送信されてきた制御コードを受信するリモコン受信部を有している。
【００２８】
次に、この発明の実施形態である光ディスク装置１の動作について説明する。この実施形態の光ディスク装置１は、主電源がオフされている待機モードと、主電源がオンされている動作モードの２つのモードで動作する。
【００２９】
まず、待機モードにおける動作について説明する。図４この発明の実施形態である光ディスク装置の待機モードにおける動作を示すフローチャートである。光ディスク装置１は、入力部９において主電源をオンする入力があるか、現在時刻が本体に記憶している録画予約データの録画開始時刻直前（数１０秒前）に達するのを監視している（ｓ１、ｓ２）。光ディスク装置１は、主電源のオンを指示する入力があると、主電源をオンし（ｓ３）、後述する動作モードに移行する（ｓ４）。
【００３０】
また、光ディスク装置１は、現在時刻が本体に記憶している録画予約データの録画開始時刻直前に達すると、本体にセットされているＤＶＤ２０をスピンアップする等の録画開始準備を行い（ｓ５）、現在時刻が本体に記憶している録画予約データの録画開始時刻に達すると（ｓ６）、この予約録画データに含まれているチャンネルで放送されている番組の録画を開始する（ｓ７）。光ディスク装置１は、その後、現在時刻が録画終了時刻になると、ｓ７で開始した録画を終了し（ｓ８、ｓ９）、ｓ１に戻る。
【００３１】
なお、光ディスク装置１は、現在時刻を制御部２に設けられているタイマで計時している。
【００３２】
このように、この実施形態の光ディスク装置１は、主電源をオフしている待機モードであれば、本体に記憶している録画予約データに基づいて録画を行う。
【００３３】
次に、動作モードにおける動作について説明する。図５は、光ディスク装置の動作モードにおける動作を示すフローチャートである。光ディスク装置１は、入力部９において何らかの入力があるか（ｓ１１）、現在時刻が本体に記憶している録画予約データの録画開始時刻の一定時間前（数分前）に達するのを監視している（ｓ１２）。光ディスク装置１は、入力部９において何らかの入力があると、この入力に応じた処理を行って（ｓ１３）、ｓ１１に戻る。ｓ１３で行われる処理は、トレイ１７をクローズ状態からオープン状態に移動させる処理（トレイオープン）、トレイ１７をオープン状態からクローズ状態に移動させる処理（トレイクローズ）、本体にセットされているＤＶＤ２０の再生開始、再生停止、本体に対して入力された録画予約データをメモリに記憶する処理等がある。
【００３４】
光ディスク装置１は、ｓ１２で現在時刻が本体に記憶している録画予約データの録画開始時刻の一定時間前（数分前）に達したことを検出すると、トレイ１７がオープン状態であるか、クローズ状態であるかを判定する（ｓ１４）。ｓ１４の判定は、センサ１６のオン／オフ状態に基づいて行われる。光ディスク装置１４は、ｓ１４でトレイ１７がクローズ状態であると判定すると、ｓ１１に戻る。
【００３５】
なお、ｓ１４でトレイ１７がクローズ状態であるのは、ユーザが何らかの理由で、録画予約していた番組の録画を中止し、他の目的で本体を使用していると考えられる。
【００３６】
光ディスク装置１は、ｓ１４でトレイ１７がオープン状態であると判定すると、トレイ駆動部１５によりトレイ１７をオープン状態からクローズ状態に移動させる（ｓ１５）。そして、トレイ１７にＤＶＤ２０が載置されているかどうかを判定する（ｓ１６）。光ディスク装置１は、トレイ１７にＤＶＤ２０が載置されていると、このＤＶＤの種別および空き容量を検出する（ｓ１７）。ＤＶＤ２０には、記録されている情報を管理するための領域としてＲＭＡ（Ｒｅｃｏｒｄｉｎｇ  Ｍａｎａｇｅｍｅｎｔ  Ａｒｅａ）が設けられている。このＲＭＡに記録されている情報を読み取ることにより、このＤＶＤ２０の空き容量の大きさが算出できる。
【００３７】
光ディスク装置１は、トレイ１７に載置されているＤＶＤ２０が書込可能なものであり（ＤＶＤ−Ｒ、ＤＶＤ−ＲＷ）、且つその空き容量が録画予約データに基づく番組の録画に必要な大きさよりも大きければ（ｓ１８、ｓ１９）、主電源をオフして（ｓ２０）、図４に示すした待機モードに移行する（ｓ２１）。
【００３８】
したがって、ユーザが入力した録画予約データに基づく番組を録画するＤＶＤ２０をトレイ１７に載置した後、本体の主電源をオフする操作、およびトレイ１７をクローズ状態にする操作を忘れた場合、光ディスク装置１はこの予約録画データに基づく録画開始時刻の一定時間前に、トレイ１７をオープン状態からクローズ状態に移動し、さらに主電源をオフして待機モードに移行する。上記待機モードで説明したように、この後、録画開始時刻になると、この録画予約データに基づく録画が実行される。よって、ユーザが入力した録画予約データに基づく番組を録画するＤＶＤ２０をトレイ１７に載置した後、本体の主電源をオフする操作、およびトレイ１７をクローズ状態にする操作を忘れた場合であっても、この録画予約データに基づく番組の録画が行われる。また、ｓ１９の処理を設けたことにより、録画予約データに基づく番組の録画がＤＶＤ２０の空き領域の不足により途中で終了する、無駄な録画を実行するのを防止できる。
【００３９】
また、光ディスク装置１は、ｓ１７でトレイ１７にＤＶＤ２０が載置されていない、ｓ１８で書込可能なＤＶＤでない（ＤＶＤ−ＲＯＭ）、またはｓ１９で空き容量が不足していると判定した場合、録画予約データに含まれる録画開始時刻になるのを待って（ｓ２２）、ｓ２０で主電源をオフし、ｓ２１で待機モードに移行する。
【００４０】
このように、トレイ１７にＤＶＤ２０が載置されていない等の理由で、録画予約データに基づく録画が行えない場合、録画予約データに含まれている録画開始時刻になってから主電源をオフし、待機モードに移行するようにしたので、待機モードに移行したときに、この録画予約データに含まれている録画開始時刻を過ぎている。したがって、待機モードにおいてこの録画予約データに基づく録画処理が開始されることはない。また、いつまでも主電源がオンされた状態が保持され続けることもなく、本体の電力消費を抑えることができる。
【００４１】
また、ｓ１４の処理を設けたことにより、ユーザが何らかの理由で、録画予約していた番組の録画を中止し、他の目的で本体を使用していると考えられる場合、ｓ１５以降の処理を行わないので、ユーザの使用を妨げることもない。
【００４２】
なお、上記実施形態では、記録媒体をＤＶＤ２０とした装置で本願発明を説明したが、ＤＶＤ２０以外の種類の光ディスク、例えばＶｉｄｅｏＣＤの記録に使用されるＣＤ−Ｒ、ＣＤ−ＲＷ、を記録媒体とする装置にも本願発明を適用することができる。
【００４３】
【発明の効果】
以上のように、この発明によれば、ユーザが入力した録画予約データに基づく番組を録画する光ディスクをトレイに載置した後、本体の主電源をオフする操作、およびトレイをクローズ状態にする操作を忘れた場合に、この録画予約データに基づく番組の録画を行うようにしたので、ユーザの使用を妨げることなく、録画予約データに基づく録画が実行されない事態が生じるのを抑えることができる。
【図面の簡単な説明】
【図１】この発明の実施形態である光ディスク装置の構成を示すブロック図である。
【図２】この発明の実施形態である光ディスク装置におけるトレイのクローズ状態、およびオープン状態を示す図である。
【図３】この発明の実施形態である光ディスク装置における録画予約データを記憶する記憶部の構成を説明する図である。
【図４】この発明の実施形態である光ディスク装置の待機モードにかかる動作を示すフローチャートである。
【図５】この発明の実施形態である光ディスク装置の動作モードにかかる動作を示すフローチャートである。
【符号の説明】
１−光ディスク装置
２−制御部
３−受信部
４−ＡＶデータ生成部
５−記録部
６−読取部
７−ＡＶデータ処理部
８−出力部
９−入力部
１０−ピックアップヘッド（ＰＵ）
１５−トレイ駆動部
１６−センサ
１７−トレイ
２０−ＤＶＤ
【図１】
2004320323.tif 000003
【図２】
2004320323.tif 000004
【図３】
2004320323.tif 000005
【図４】
2004320323.tif 000006
【図５】
2004320323.tif 000007